(57)【要約】【課題】容量の小さい箱でも、表示面積を大きくとることが可能で、顧客が箱を開封すると、確実に表示内容を読んで内容物に関する情報を確認することが可能な紙箱を提案する。【解決手段】表面板と裏面板と２枚の側面板と底蓋とによって収納部を形成してなる紙箱であって、表面板の片側に折線を介して第一の側面板と糊代を連設し、表面板の反対側に折線を介して第二の側面板と裏面板を連設し、表面板の上方に切欠きによる開口部を設け、表面板の下方に折線を介して底蓋と差込片を連設してなり、第一の側面板と第二の側面板は、中央部にＹ字状の折線を有し、糊代を前記裏面板に接着してガセット状の収納部を形成し、前記裏面板は、上方に延長部を有し、下方に折線を介して連設した底面カバーと表面カバーを有し、表面カバーを、前記表面板に重ねて収納部を覆い、表面カバーの先端と裏面板の延長部の先端とを係合させることにより形成した、外カバー付き紙箱。【選択図】図１
2010184736.tif 000002
【特許請求の範囲】
【請求項１】
表面板と裏面板と２枚の側面板と底蓋とによって収納部を形成してなる紙箱であって、表面板の片側に折線を介して第一の側面板と糊代を連設し、表面板の反対側に折線を介して第二の側面板と裏面板を連設し、表面板の上方に切欠きによる開口部を設け、表面板の下方に折線を介して底蓋と差込片を連設してなり、前記第一の側面板と第二の側面板は、中央部にＹ字状の折線を有し、前記糊代を前記裏面板に接着してガセット状の収納部を形成し、前記裏面板は、上方に延長部を有し、下方に折線を介して連設した底面カバーと表面カバーを有し、前記表面カバーを、前記表面板に重ねて前記収納部を覆い、表面カバーの先端と裏面板の延長部の先端とを係合させることにより、形成したことを特徴とする外カバー付き紙箱。
【請求項２】
裏面板の延長部と表面カバーの先端部が半円形であることを特徴とする請求項１に記載の外カバー付き紙箱。
【請求項３】
底面カバーと裏面板の間の折線および、底面カバーと表面カバーの間の折線に台形状をなす底面切込み線が設けられており、前記折線を折曲げた時、該台形の上辺部分が突出して足部を形成することを特徴とする請求項１または２に記載の外カバー付き紙箱。
【発明の詳細な説明】
【技術分野】
【０００１】
本発明は、物品を収納して販売するための個別包装用の紙箱に関し、特に家庭用医薬品を収納する紙箱として好適に使用できる紙箱に関する。
【背景技術】
【０００２】
かぜ薬や頭痛薬などの家庭用医薬品は、医家用と異なり、大量に使用するものではないため、販売単位も小さいものである。これを単純に必要十分な大きさの紙箱に収納すると、箱が小さくなり過ぎて使い勝手が悪かった。また医薬品の場合、使用上の注意を表示する必要があるが、箱が小さい場合には、箱の外側にすべてを表示しきれないため、別に印刷した注意書きを箱の内部に封入する方法が採られていた。しかし、使用者がしばしば注意書きを紛失したり取り違えたりするという問題があった。また別途注意書きを作成する費用もかかっていた。
【０００３】
特許文献１に記載された表示片付包装用箱は、内容物に対する説明や注意等の記載可能面積を広くすることができる表示片付包装用箱である。この包装用箱は、表示片を側壁に連設して設け、表示片の上下に差込係止片を設けて箱の蓋の隙間に挿入して係止するようにしたものである。この表示片付包装用箱によれば、箱の側壁とほぼ同じ大きさの表示片が付属しているので、表示面積が増大する。
【０００４】
特許文献２に記載された表示片付包装用箱は、同様に箱の側面に連設して設けた表示片を一部接着して容易には開封できないようにしたものであり、さらに表示片を切離線によって切離して、参照できるようにしたものである。
【先行技術文献】
【特許文献】
【０００５】
【特許文献１】特開平９−１０４４３３号公報
【特許文献２】特開平１１−２５５２３３号公報
【発明の概要】
【発明が解決しようとする課題】
【０００６】
特許文献１に記載された表示片付包装用箱は、表示片を所定の場所に収納すると、一見通常の箱と見分けがつかなくなるため、折角用意した表示に、購入者が気付かない恐れがある。また特許文献２に記載された表示片付包装用箱は、表示片を側面に接着したため、同様にして購入者が気付かない恐れがある。また表示片を切離した場合、紛失する恐れが生じるという問題がある。
【０００７】
本発明の解決しようとする課題は、容量の小さい箱であっても、表示面積を大きくとることが可能であり、しかも顧客が箱を開封すると、確実に表示内容を読んで内容物に関する情報を確認することが可能な紙箱を提案するものである。
【課題を解決するための手段】
【０００８】
上記の課題を解決するための手段として、請求項１に記載の発明は、表面板と裏面板と２枚の側面板と底蓋とによって収納部を形成してなる紙箱であって、表面板の片側に折線を介して第一の側面板と糊代を連設し、表面板の反対側に折線を介して第二の側面板と裏面板を連設し、表面板の上方に切欠きによる開口部を設け、表面板の下方に折線を介して底蓋と差込片を連設してなり、前記第一の側面板と第二の側面板は、中央部にＹ字状の折線を有し、前記糊代を前記裏面板に接着してガセット状の収納部を形成し、前記裏面板は
、上方に延長部を有し、下方に折線を介して連設した底面カバーと表面カバーを有し、前記表面カバーを、前記表面板に重ねて前記収納部を覆い、表面カバーの先端と裏面板の延長部の先端とを係合させることにより、形成したことを特徴とする外カバー付き紙箱である。
【０００９】
また、請求項２に記載の発明は、裏面板の延長部と表面カバーの先端部が半円形であることを特徴とする請求項１に記載の外カバー付き紙箱である。
【００１０】
また、請求項３に記載の発明は、底面カバーと裏面板の間の折線および、底面カバーと表面カバーの間の折線に台形状をなす底面切込み線が設けられており、前記折線を折曲げた時、該台形の上辺部分が突出して足部を形成することを特徴とする請求項１または２に記載の外カバー付き紙箱である。
【発明の効果】
【００１１】
本発明に係る外カバー付き紙箱は、収納部の外側を覆う底面カバーと表面カバーからなる外カバーを有するため、収納部の大きさに較べて大きな表面積を有し、ここに取り扱い上の注意事項や説明を表示することができるため、別刷りの説明書を封入する必要をなくすることができる。このため、説明書を紛失する恐れがなく、説明書を作成する費用や、封入するための費用を削減できる。また、外カバーを開くことにより、外カバーの内側や表面板の表面に記載された情報を確実に購入者に伝達することができる。
【００１２】
また本発明に係る外カバー付き紙箱は、一繋がりの一枚のブランクスから組み立てることができるので、組み立てが容易であり、余分な手間や費用が発生しない。また裏面板とその上部の延長部分が外カバーの一部を兼ねているため、材料の付加が最小限で済む。
【００１３】
また、表面板に、切欠きによる開口部が設けられているので、外カバーを開くだけで、内容物を取り出すことができ、極めて使い勝手が良い。
【００１４】
また、収納部を構成する両側の側面板にＹ字状の折線を有するため、収納部は、ガセット状に厚さが伸び縮みすることができ、収納物の厚さに従って伸縮するので、内容物が収納部内を動き回ることがない。
【００１５】
また、裏面板の延長部と表面カバーの先端部が半円形である場合には、表面カバーを開いた時の形が薬品のカプセルを連想させるものであるため、カプセル入りの医薬品の紙箱として用いた場合、デザインの面からみて好適である。
【００１６】
また、底面カバーと裏面板の間の折線および、底面カバーと表面カバーの間の折線に台形状をなす底面切込み線が設けられており、前記折線を折曲げた時、該台形の上辺部分が突出して足部を形成するようにした場合には、紙箱を安定して立てることが可能となるため、販売棚への収納の面で利便性が高く、販売時の展示効果に優れる。
【図面の簡単な説明】
【００１７】
【図１】図１は、本発明に係る外カバー付き紙箱の一実施態様を示した斜視図である。
【図２】図２は、図１に示した外カバー付き紙箱のブランクスの展開図である。
【発明を実施するための形態】
【００１８】
図に従って、本発明に係る外カバー付き紙箱について詳細に説明する。図１は、本発明に係る外カバー付き紙箱の一実施態様を示した斜視図である。また図２は、図１に示した
外カバー付き紙箱のブランクスの展開図である。本発明に係る外カバー付き紙箱１は、図２に示したような一繋がりの一枚のブランクスからなり、箱に組み立てると図２のように収納部がカバーに覆われたような外観を呈する。
【００１９】
図２のブランクスに示されたように、本発明に係る外カバー付き紙箱は、表面板６と裏面板２と２枚の側面板５、７と底蓋１２とによって収納部を形成してなる紙箱であって、表面板６の片側に折線２３、２４を介して第一の側面板７（側面板１）と糊代８を連設し、表面板６の反対側に折線２２、２１を介して第二の側面板５（側面板２）と裏面板２を連設し、表面板６の上方に切欠きによる開口部を設け、表面板６の下方に折線２５、２６を介して底蓋１２と差込片１３を連設してなる。
【００２０】
両側の側面板５、７には、Ｙ字状の側面板折線１０、１１が設けられているため、収納部は、ガセット状に厚さが可変であり、収納物の厚さに合わせて変化するため、収納物が収納部内を動き回ることがない。
【００２１】
糊代８を裏面板２に接着することにより、収納部を形成することができる。２枚の側面板５、７には、それぞれ下部にフラップ１４が連設されている。また差込片１３を形成する折線２６には、両端部に切り込みが設けられており、底蓋１２がフラップ１４に引っ掛かるようになっている。
【００２２】
裏面板２は、上方にこの実施態様においては、半円形状の延長部２０を有し、下方に折線２７、２８を介して連設した底面カバー３と表面カバー４を有する。表面カバー４の先端部は、裏面板２の延長部２０と同様の半円形状をなしている。折線２７、２８を折って底面カバー３を箱に組み立てた収納部の底蓋１２に被せ、表面カバー４を、表面板６に重ねて収納部を覆い、表面カバー４の先端に設けられた係止片１６と裏面板２の延長部２０の先端に設けられた係止片差込み孔１５とを係合させることにより、図１に示したような外カバー付き紙箱１が形成される。図２に示されたブランクスの折線２１〜２８をすべて紙面から見て山折りすることによって、図２に示された外カバー付き紙箱１が形成される。この時、Ｙ字状の側面板折線１０、１１は、谷折りする。
【００２３】
この実施態様においては、裏面板２の延長部２０と表面カバー４の先端は、ともに半円形であるが、この部分の形状については、特に制約はない。ただし、両者を係合させて係止させる都合上、先端部が突出している形状の方が係止部が１カ所で済むため、使い勝手がよい。この実施態様のように、裏面板２の延長部２０と表面カバー４の先端がともに半円形であると、表面カバーを開いた時、全体の形状が医薬品のカプセルを思わせる形状となるため、カプセル形状の医薬品用の収納容器としては、好適である。
【００２４】
本発明に係る外カバー付き紙箱１は、このように収納部の外側に底面カバー３、表面カバー４からなる外カバーを有し、さらに裏面板２の延長部２０が存在するので、収納部がコンパクトでありながら、説明書や使用上の注意などを記載する面積を十分に確保することができる。外カバーを開くことによって、さらに広い表示面積を確保することが可能となる。
【００２５】
収納部がコンパクトにできるため、必要最小限の内容物に限定することが可能となり、例えば医薬品であれば、不必要に大量の医薬品を購入して余らせて無駄にすることもなくなる。
【００２６】
この実施態様においては、底面カバー３と裏面板２の間の折線２７および、底面カバー３と表面カバー４の間の折線２８にそれぞれ台形状をなす底面切込み線１７が２つづつ設けられており、折線２７、２８を折曲げた時、台形の上辺部分が突出して図１に見られる
ような足部を形成する。このようにすることにより、底面カバー３が正確な平面にならず、丸みを帯びて湾曲したとしても、足部が突出して足となるので、箱を立てた状態で安定して置いておく事ができる。
【実施例１】
【００２７】
坪量２７０ｇ／ｍ２の両面コートボール紙の両面に印刷を施し、抜き型で打ち抜いて、図２に示された形状のブランクスを作成した。図に示された折線２１〜２６をすべて山折りし、糊代８を裏面板２に接着して収納部を形成した。この時、Ｙ字状の側面板折線１０、１１は、谷折りした。内容物として、咳止め薬のカプセルを８個収納し、折線２７、２８を山折りして底カバー３、表面カバー４を折曲げ、収納部を覆う外カバーとした。裏面板２の延長部２０に設けた係止片差込み孔１５に、表面カバーの先端に設けた係止片１６を差込んで固定すると、図２に示されたような外カバー付き紙箱が完成した。この紙箱は、表面カバー４を開封するだけで、直ちに内容物を取り出すことが可能であり、使い勝手の良いものであった。この紙箱は、咳止め薬としての使用上の注意事項を表面板に表示し、別刷りの使用説明書を同封する必要がなかった。このため、購入者は、表面カバーを開いた時点で、詳細な注意事項を読むことが可能であり、安全に使用することができるものとなった。また外装である表面カバーに、カプセルの形状に見立てた訴求効果の高い意匠を施すことができた。
【符号の説明】
【００２８】
１・・・外カバー付き紙箱
２・・・裏面板
３・・・底面カバー
４・・・表面カバー
５・・・側面板１
６・・・表面板
７・・・側面板２
８・・・糊代
９・・・開口部
１０・・・側面板折線
１１・・・側面板折線
１２・・・底蓋
１３・・・差込片
１４・・・フラップ
１５・・・係止片差込み孔
１６・・・係止片
１７・・・底面切込み線
２０・・・延長部
２１・・・折線
２２・・・折線
２３・・・折線
２４・・・折線
２５・・・折線
２６・・・折線
２７・・・折線
２８・・・折線
【図１】
2010184736.tif 000003
【図２】
2010184736.tif 000004